(57)【特許請求の範囲】
【請求項１】
計量機構を内設した基台と、前記計量機構の上に載置する載台と、前記基台と前記載台とを張架する補助スプリングとからなる台秤において、前記補助スプリングは、バネ部と、前記バネ部の一端に形成するフック部と、前記バネ部の他端に形成するフック部と、前記一端のフック部から前記他端のフック部の方へ伸延する伸延部と、前記伸延部の先端に形成する係合部とを有し、前記基台は、前記一端のフック部と係止する係止片を有し、前記載台は、前記他端のフック部と係止する係止片と、前記載台が前記基台から浮き上がった際に前記係合部と係止するように係合孔を形成した係合片とを有することを特徴とする台秤。
【請求項２】
計量機構を内設した基台と、前記計量機構の上に載置する載台と、前記基台と前記載台とを張架する補助スプリングとからなる台秤において、前記補助スプリングは、バネ部と、前記バネ部の一端に形成するフック部と、前記バネ部の他端に形成するフック部と、前記一端のフック部から前記他端のフック部の方へ伸延する伸延部と、前記伸延部の先端に形成する係合部とを有し、前記載台は、前記一端のフック部と係止する係止片を有し、前記基台は、前記他端のフック部と係止する係止片と、前記載台が前記基台から浮き上がった際に前記係合部と係止するように係合孔を形成した係合片とを有することを特徴とする台秤。
【請求項３】
計量機構を内設した基台と、前記計量機構の上に載置する載台と、前記基台と前記載台とを張架する補助スプリングとからなる台秤において、前記補助スプリングは、バネ部と、前記バネ部の一端に形成する座部と、前記バネ部の他端に形成するフック部と、前記一端の座部から前記他端のフック部の方へ伸延する伸延部と、前記伸延部の先端に形成する係合部とを有し、前記基台は、前記一端の座部を配設する中央に孔を設けた長円形の凹部を有し、前記載台は、前記他端のフック部と係止する係止片と、前記載台が前記基台から浮き上がった際に前記係合部と係止するように係合孔を形成した係合片とを有することを特徴とする台秤。
【請求項４】
計量機構を内設した基台と、前記計量機構の上に載置する載台と、前記基台と前記載台とを張架する補助スプリングとからなる台秤において、前記補助スプリングは、バネ部と、前記バネ部の一端に形成する座部と、前記バネ部の他端に形成するフック部と、前記一端の座部から前記他端のフック部の方へ伸延する伸延部と、前記伸延部の先端に形成する係合部とを有し、前記載台は、前記一端の座部を配設する中央に孔を設けた長円形の凹部を有し、前記基台は、前記他端のフック部と係止する係止片と、前記載台が前記基台から浮き上がった際に前記係合部と係止するように係合孔を形成した係合片とを有することを特徴とする台秤。
【発明の詳細な説明】
【０００１】
【発明の属する技術分野】
本発明は台秤、特に体重計等の扁平型の台秤における衝撃及び偏置荷重による載台の外れ防止装置に関する。
【０００２】
【従来の技術】
体重計等の台秤においては、基台と載台を補助スプリングの張力だけで互いに引っ張り合ってセットされているために、被測定者が載台へ載るときに載台の縁部へ極端に偏って載ると、その対辺が補助スプリングの張力に抗して載台が浮き上がり、この時基台内に配設された計量機構を構成する部品が脱落して機能を果たさなくなる等の問題を解決するために、従来は実告平１−４００２１号に提案されているように、基台からの係止用切り起こし片と載台へ取り付けた係合用孔を有する板バネ材を利用していた。
【０００３】
【発明が解決しようとする課題】
前説の従来の載台外れ防止装置は、係止用板バネ材を使用していたために、部品点数が増える、部品代が高くなる、取付工数が増えると云う問題点があった。
【０００４】
【課題を解決するための手段】
補助スプリングの一方の係止部を伸延して先端部に係合部を設ける。係止部と先端の係合部との間の伸延部はバネ性を持たない構造とする。補助スプリングのバネ部の両端の係止部は、基台及び載台の係止片へ引張係止する。補助スプリングの非バネ部の先端の係合部は、基台又は載台の係合片の係合孔へ係合される。係合部は係合孔の縁部へ接触しない構成にする。
【０００５】
【発明の実施の形態】
補助スプリングのバネ部の両端部には、係止部であるフック部を設け、一方のフック部の先端は伸延されて他方のフック部方向へ伸びている。伸びた伸延部先端には係合部を設ける。フック部と係合部との間の伸延部はバネ性を持たない構造にする。基台には補助スプリングの一方の係止部であるフック部を係止するための係止片を、載台には補助スプリングの他方の係止部であるフック部を係止するための係止片と、係合部を係合するための係合片を設ける。
【０００６】
係止片に補助スプリングの他方の係止部であるフック部を係止した載台を基台へ内設された計量機構へ載置して、補助スプリングの一方の係止部であるフック部は補助スプリングを引張して基台の係止片へ引張係止する。この時、補助スプリングの係合部は載台の係合孔へ係合される。台秤の通常の使用状態では補助スプリングの係合部は載台の係合孔の中で係合片へ接触しない構成になっている。基台又は載台に異常な力が掛かって、基台から載台を浮き上がらせようとして補助スプリングが伸びた時に、係合部が載台の係合片の下部に接触して係止し、補助スプリングが伸びきらないようになる。補助スプリングの使用方向は天地逆になってもよい。
【０００７】
【実施例】
以下、本発明の実施例を図面に基づいて説明する。図１は本発明の載台の外れ防止装置の補助スプリングの第１の実施例の図、図２は本発明の載台の外れ防止装置の補助スプリングの第１の実施例の使用例の図、図３は本発明の載台の外れ防止装置の補助スプリングの第２の実施例の図、である。
【０００８】
図１に示す本発明の載台の外れ防止装置の第１の実施例の補助スプリング(1) は、一端には係止部であるフック部(2) を設け、フック部の先端は補助スプリングの他端方向へ伸延されて先端部には係合部(3) が形成されている。フック部と係合部との間の伸延部(4) は、バネ性を持たせない為に直線状である。他端には係止部であるフック部(5) だけを形成する。
【０００９】
図２の（Ａ）に示す基台(6) には、補助スプリングのフック部(2)が係止される係止片(7)がある。載台(8)には、基台の係止片(7)に相対向する位置に補助スプリングの一端のフック部(5)を張架するための係止片(9)を設け、補助スプリングの係合部(3)を係合するために、係合片(10)を設ける。
【００１０】
図２の（Ｂ）に示すように、補助スプリングを係止した載台を基台へ内設された計量機構（図示せず）へ載置して、補助スプリングの一方の係止部であるフック部(2)は補助スプリングを引張して基台の係止片(7)へ引張係止する。この時、補助スプリングの係合部(3)は載台(8)の係合片(10)の係合孔(11)へ係合される。台秤の通常の使用状態では補助スプリングの係合部は載台の係合孔の中で係合片へ接触しない構成になっている。
【００１１】
図３は本発明の載台の外れ防止装置の第２の実施例の補助スプリングの図である。補助スプリングの他方の係止部はフック(12)であるが、一方の係止部は長円形の座部(13)になっていて、先端が他方の係止部方向へ伸延されて先端に係合部(14)を設けている。係合部，フック，バネ部(15)を、基台（図示せず）に設けた長円形の凹部（図示せず）の中央の孔（図示せず）から載台方向（図示せず）へ挿入して、座部を長円形の凹部に配設し、フックを載台（図示せず）の係止片へ引張係止する。この時係合部は載台の係合片（図示せず）へ係合される。第２の実施例では補助スプリングの使用方法は上下逆であっても良い。
【００１２】
図４は従来の外れ防止装置の図である。従来の外れ防止装置は実公平１−４００２１号に示すように（図４）、補助スプリング(103) は基台と載台を引張係止するだけであり、基台(101) の側壁に設けた切り起こし片(105)を載台(102)の内側に配設した柔軟性を有する板バネ(106) に設けた孔へ挿入して、載台が基台から外れるのを防止していた。
【００１３】
【作用】
製品の輸送中の衝撃、運搬中の落下、特に体重計では載台の端部への偏った載り方等で基台又は載台に異常な力が掛かって、基台から載台の対辺を浮き上がらせようとして補助スプリングが伸びた時に、係合部が載台の係合孔の下部に接触して係止し、補助スプリングが伸びきらないようになる。従って、載台が基台から浮き上がることがなくなる。
【００１４】
【発明の効果】
以上説明したように本発明の外れ防止装置により、別部品である高価な板バネ部材を使用すること無く、従って部品点数が減り取付作業工数が減り安価な装置で確実な外れ防止装置を提供することができる。
【図面の簡単な説明】
【図１】  本発明の載台の外れ防止装置の補助スプリングの第１の実施例の図
【図２】  本発明の載台の外れ防止装置の補助スプリングの第１の実施例の使用例の図
【図３】  本発明の載台の外れ防止装置の補助スプリングの第２の実施例の図
【図４】  従来の載台の外れ防止装置の図
【符号の説明】
１  補助スプリング
２  フック部
３  係合部
４  伸延部
５  フック部
６  基台
７  係止片
８  載台
９  係止片
１０  係合片
１１  係合孔
１２  フック
１３  座部
１４  係合部
１５  バネ部
【図１】
0003656933.tif 000002
【図２】
0003656933.tif 000003
【図３】
0003656933.tif 000004
【図４】
0003656933.tif 000005